(57)【要約】【課題】フレームとサイドカバーの連結部位を曲線デザインとするとともに、使用中に傷害が発生することを防止することができる釣りリールを提供する。【解決手段】フレームとサイドカバーが接する部位に曲線デザインを具現するとともに、フレームの鋭い端部によって使用中に傷害が発生することを防止することができるように、フレームの第１縁部と第１サイドカバーの第２縁部にそれぞれ流線形に連結された突出部と凹部を備え、突出部の上側傾斜面と外側端面を連結する第１角部の内角を鈍角に形成し、前記突出部が前記凹部の下部に配列されるように前記第１サイドカバーを装着部に１次結合した後、第１サイドカバーの前端部を下向きに回転させることによって第１サイドカバーをロックすることができる下向き回転ロック式サイドカバーを備えた釣りリール。【選択図】  図３
2019017386.tif 000002
【特許請求の範囲】
【請求項１】
両側に第１装着部及び第２装着部を備えたフレームと、前記第１装着部に結合されるパーム側第１サイドカバーと、前記第２装着部に結合されるギア側第２サイドカバーとを含む釣りリールであって、
前記第１装着部をなす第１縁部は、上側前端部の一部が残りの部分である平面部より外側に突出するように流線形に連結された突出部を含み、
前記第１サイドカバーの第２縁部は、上側前端部の一部が残りの部分である平面部より外側に凹んでいるように流線形に連結されて前記突出部と接する凹部を含み、
前記突出部は、上側傾斜面と外側端面を連結する第１角部の内角が鈍角に形成され、
前記突出部が前記凹部の下部に配列されるように前記第１サイドカバーを第１装着部に１次結合した後、第１サイドカバーの前端部を下向きに回転させることによって第１サイドカバーをロックさせることができることを特徴とする、釣りリール。
【請求項２】
前記第１サイドカバーは、内側面の端部から伸びて前記第１縁部の上側傾斜面の傾斜度と対応する角度で連結された内側接面を備え、第１サイドカバーのロック状態で前記内側接面が前記上側傾斜面に密着することを特徴とする、請求項１に記載の釣りリール。
【請求項３】
前記凹部の内側接面は、前方側及び後方側の各端部が前記第２縁部の平面部の内側端部に連結され、中央に行くほど内側接面の幅が広くなるとともに垂直方向に対して内側接面の傾斜度が大きくなる円弧形の曲面であることを特徴とする、請求項２に記載の釣りリール。
【請求項４】
前記第１装着部又は前記第１サイドカバーの内側又はこれらの両方には、前記第１サイドカバーの前後回転開閉時に第１サイドカバーをフレームの左右に水平方向に移動させる開閉案内手段を備えることを特徴とする、請求項１ないし請求項３のいずれか１項に記載の釣りリール。
【発明の詳細な説明】
【技術分野】
【０００１】
本発明は釣りリールに関する。より詳しくは、フレームとサイドカバーが接する部位に曲線デザインを具現するとともに、
曲線デザインによって形成されたフレームの鋭い端部により使用中に傷害が発生することを防止できるように、フレームの縁部（第１縁部とする）とパーム（ｐａｌｍ）側の第１サイドカバーの縁部（第２縁部とする）に、それぞれ、流線形に連結された突出部と凹部を備え、突出部の上側傾斜面と外側端面を連結する第１角部の内角を鈍角に形成し、
前記突出部が前記凹部の下部に配列されるように前記第１サイドカバーを装着部に１次結合した後、第１サイドカバーの前端部を下向きに回転させることによって第１サイドカバーをロックすることができる、下向き回転ロック式サイドカバーを備えた釣りリールに関する。
【背景技術】
【０００２】
一般に、釣りリール、特にベイトキャスティングリールは、スプールの制動方式によるブレーキダイヤル又はテンションナットの作動構造などに違いがあるだけであり、大きくは、スプールが装着されたフレーム、前記フレームの一側面に結合されたパーム（ｐａｌｍ）側第１サイドカバー、前記フレームの他側面に結合されたギア（ｇｅａｒ）側第２サイドカバー、及び前記第２サイドカバーに備えられたハンドルを含んでなる。
【０００３】
このような釣りリールでは、相対的に開閉頻度の低い第２サイドカバーはボルティング結合などによってフレームに堅固に結合される。反面、第１サイドカバーの場合は、平地帯だけではなく磯などのその他の非平地帯で釣魚を行うとき釣りリールの維持補修などのためにスプールを分離する、バックラッシュの防止のために遠心ブレーキタイプのブレーキシューの位置を調整するなど多様な状況で開閉され、相対的に開閉頻度が高いので、第１サイドカバーを開放して分離した後再結合して釣魚を再開することができるように、開閉のための構造が採用されている。
そして、釣りリールは、第１サイドカバーの開閉のための構造として、多様な結合構造、開閉手段を採用しているが、開閉手段の本質は、第１サイドカバーの完全分離後、第１サイドカバーを再結合して安全に固定させることにある。
【０００４】
従来の釣りリールでは、フレームに対して第１サイドカバーを着脱するに際して、使用上の便宜のために、別にロック装置を作動しなくても第１サイドカバーを所定の力でフレームに対して回転させる動作のみで第１サイドカバーをロック及び解除できる構造が採用されている（回転開閉式第１サイドカバー）。
これに関連しては、特許文献１、２、３等に開示があるが、これらから確認できるような従来の回転開閉式第１サイドカバーを備えた釣りリールは、フレームと第１サイドカバーが接する接面が同じ高さを有するように形成された直線形平面（ｆｌａｔ）構造である。
【０００５】
一方、使用者のデザイン的なニーズを満たすため、一部の釣りリールでは、フレームの一部、特にフレームの前端部上側の一部区間が、両側サイドカバーの方向に流線形に突出して（他の区間に）連結される形態の曲線（曲面）デザインを有し、これに接するサイドカバーは、前記曲線デザインの区間に対応する部位が外側方向に流線形に凹むように連結される形態を有する。
すなわち、釣りリールは、その前方側で円形又は楕円形の形状になる場合にだけ使用者が釣りリールを把持したときのグリップ感を向上させることができる。そこで、図１に示すように、フレーム１０とサイドカバー２０、３０の前端部上側の一部区間に、それぞれ突出部１６Ｐと凹部２６Ｃが連結されて、平面図が図１０の（ａ）で示すような形状となる曲線デザインを適用して、釣りリールの外観をまるで野球ボールのスティッチ形状と類似したデザインに製作した釣りリールがある。
【０００６】
このような曲線デザインが適用された従来の釣りリールは、第１サイドカバー２０を前後に回転させるとき、突出部１６Ｐと凹部２６Ｃ間の干渉又は接触が発生するので、第１サイドカバー２０の回転開閉方向に制限を受ける。この干渉や接触を避けるために、従来の釣りリールは、第１サイドカバー２０をフレーム１０に付けた（１次結合）後、上向きに回転させてフレーム１０にロックし、第１サイドカバー２０を下向きに回転させてフレーム１０から分離する、上向き回転ロック式第１サイドカバーの構造を採用する必要があった。
【０００７】
すなわち、フレーム１０に１次結合された第１サイドカバー２０を下向きに回転させてロックさせるとか、反対に第１サイドカバー２０を上向きに回転させて分離させる構造では、フレーム１０の突出部１６Ｐが第１サイドカバー２０の回転領域に位置して回転開閉時に干渉が発生するので、曲線デザインを採用した従来の釣りリールは、いずれも上向き回転ロック式サイドカバー開閉構造を採用している。
図８及び図９に、フレーム１の突出部と第１サイドカバー２の凹部が互いに接する接面の断面図を示す。フレーム１の突出部と第１サイドカバー２の凹部が、一定面積以上で平坦に密着する場合だけ水分の浸湿を防止することができる。このため、曲線デザインが適用された従来の釣りリールは、図８及び図９に示すような、フレーム１の縁部下端に第１サイドカバー２の縁部を収容する段差構造を備える必要があった。
【０００８】
しかし、このような従来の釣りリールは次のような使用上の問題点を引き起こす。
まず、上向き回転ロック式サイドカバー開閉構造上、フレーム１と第１サイドカバー２の密着のためには、フレーム１の一側面の縁部が第１サイドカバー２の他側面の縁部を覆う形態にしなければならないので、フレーム１の上側面に傾斜度を与えると、（図８、９に示すように）上側傾斜面と外側端面を連結する角部１ａの内角が鋭角（９０°以下）に鋭く形成されるから、使用中にフレーム１の端部に指などが切られるなどの傷害発生のおそれがある。
これを防止するために、フレーム１の厚さを大きくすれば、フレーム１と第１サイドカバー２間の段差が大きくなるので、これを無くすために第１サイドカバー２の厚さ（又は高さ）も共に大きくなければならないため、釣りリールの軽薄短小化の傾向に合わない。
【０００９】
また、使用者が片手（一般的に右手）でフレーム１を握った状態で、他の手（左手）で第１サイドカバー２を握って上向きに回転させてロックさせるに際して、第１サイドカバー２の把持を誤ると、フレーム１と第１サイドカバー２の間に手の肉が挟まれて傷害が発生する問題点がある。
【先行技術文献】
【特許文献】
【００１０】
【特許文献１】大韓民国実用新案登録第２０−０１７４２０９号公報
【特許文献２】大韓民国特許登録第１０−１１８８２９１号公報
【特許文献３】大韓民国特許登録第１０−１０１９５０９号公報
【発明の概要】
【発明が解決しようとする課題】
【００１１】
したがって、本発明は、前述したような問題点を解決するためになされたもので、グリップ感の向上という機能的な側面とデザイン的ニーズの充足のために、従来のようにフレームとサイドカバーの連結部位を曲線デザインとするとともに、
従来の画一的な上向き回転ロック式サイドカバーとは違い、下向き回転ロック式サイドカバーの開閉構造を採用することで、フレームの端部が鈍角（９０°以上）に形成されるので、すなわち鋭く形成されないので、使用中に傷害が発生することを防止することができる、下向き回転ロック式サイドカバーを備えた釣りリールを提供することをその目的とする。
【００１２】
そして、本発明は、突出部と凹部が一定面積以上で密着して結合することによって水分浸湿防止の機能を補完的に向上させるように、第１サイドカバーが、その内側面端部から伸び、フレームの第１縁部の上側傾斜面の傾斜度と対応する角度で連結された内側接面を備えた、下向き回転ロック式サイドカバーを備えた釣りリールを提供することを他の目的とする。
【００１３】
また、本発明は、第１サイドカバーを前後に回転開閉するときにフレームとの摩擦を最小化することができるように、前記凹部の内側接面の前方及び後方側の各端部が、前記第２縁部の平面部の内側端部に連結され、かつ内側接面が、中央に行くほど、その幅が広くなるとともに垂直方向に対するその傾斜度が大きくなる円弧形の曲面である、下向き回転ロック式サイドカバーを備えた釣りリールを提供することをさらに他の目的とする。
【００１４】
また、本発明は、第１サイドカバーを上向きに回転させて分離させるとき、第１サイドカバーがフレームの外側方向に自然に離隔して分離されて第１サイドカバーが容易に着脱されるように、前記第１サイドカバーの前後回転時に第１サイドカバーをフレームの左右水平方向に移動させる開閉案内手段を含んでなる、下向き回転ロック式サイドカバーを備えた釣りリールを提供することをさらに他の目的とする。
【課題を解決するための手段】
【００１５】
上記の目的を達成するために、本発明による釣りリールは、
両側に第１及び第２装着部を備えたフレームと、前記第１装着部に結合されるパーム側の第１サイドカバーと、前記第２装着部に結合されるギア側第２サイドカバーとを含む釣りリールであって、
前記第１装着部をなす第１縁部は、上側前端部の一部が残りの部分である平面部より外側に突出する流線形に連結された突出部を含み、
前記第１サイドカバーの第２縁部は、上側前端部の一部が残りの部分である平面部より外側に凹んでいるように流線形に連結されて前記突出部と接する凹部を含み、
前記突出部は、その上側傾斜面と外側端面を連結する第１角部の内角が鈍角に形成され、
前記突出部が前記凹部の下部に配列されるように前記第１サイドカバーを第１装着部に１次結合した後、第１サイドカバーの前端部を下向きに回転させることによって第１サイドカバーをロックさせることができることを特徴とする。
【００１６】
また、本発明による釣りリールにおいて、前記第１サイドカバーは、その内側面の端部から伸び、前記第１縁部の上側傾斜面の傾斜度と対応する角度で連結された内側接面を備え、第１サイドカバーのロック状態で前記内側接面が前記突出部の上側傾斜面に密着することができる。
【００１７】
また、本発明による釣りリールにおいて、前記凹部の内側接面は、その前方及び後方側の各端部が前記第２縁部の平面部の内側端部に連結され、かつ中央に行くほど内側接面の幅が広くなるとともに垂直方向に対して内側接面の傾斜度が大きくなる円弧形の曲面であることができる。
【００１８】
また、本発明による釣りリールにおいて、前記第１装着部又は前記第１サイドカバーの内側又はこれらの両方には、前記第１サイドカバーの前後回転開閉時に、第１サイドカバーを、フレームの左右に水平方向に移動させる開閉案内手段を備えることができる。
【発明の効果】
【００１９】
本発明による釣りリールは、
機能及びデザインの充足のために、従来のようにフレームとサイドカバーの連結部位を曲線デザインで具現するとともに、
従来の画一的なサイドカバーの上向き回転ロック方式ではなく、第１サイドカバーを、下向き回転ロック方式で設計してフレームの端部を鋭くないように鈍角に形成することにより、サイドカバーの開閉中にフレームに指などが引っかかれるとか、フレームとサイドカバーの間に指などが挟まるなどのような傷害の発生を防止することができ、
下向き回転ロック式サイドカバーによって、第１サイドカバーの縁部がフレームの縁部を自然に覆いながら結合されて曲線デザインをより美麗にするとともに、
フレームの曲線区間縁部（突出部）を非露出型に形成して水分の浸湿を遮断する機能的な効果を向上させることができ、
第１サイドカバーの開閉時にフレームとサイドカバー間の摩擦を最小化させることができる機構工学的な曲面設計によって摩耗のような部品の損傷又は破損を防止することができ、
第１サイドカバーの回転開閉時、第１サイドカバーがスプールシャフトと同軸方向に自然に水平に移動して、第１サイドカバーの回転開閉をより易しくて便利になすことができる、との効果を奏する。
【図面の簡単な説明】
【００２０】
【図１】本発明による釣りリールの平面図である。
【図２】本発明による釣りリールの平面図である。
【図３】本発明による釣りリールの一側面図及び要部断面図である。
【図４】本発明によるフレームを示す斜視図である。
【図５】本発明によるフレームを示す側面図及び要部断面図である。
【図６】本発明による第１サイドカバーを示す斜視図である。
【図７】本発明による第１サイドカバーを示す側面図及び要部断面図である。
【図８】従来の釣りリールにおいてフレームとサイドカバーの接面構造を概略的に示す断面図である。
【図９】従来の釣りリールにおいてフレームとサイドカバーの接面構造を概略的に示す断面図である。
【図１０】釣りリールの形状の平面図を概略的に示す図である。
【発明を実施するための形態】
【００２１】
本発明は多様な変更を加えることができ、いろいろの形態を有することができる。以下、具現例（態様、ａｓｐｅｃｔ、又は実施例）を詳細に説明する。しかし、これは本発明を特定の開示形態に限定しようとするものではなく、本発明は、その思想及び技術範囲に含まれる全ての変更、均等物ないし代替物を含むものに理解されなければならない。
【００２２】
各図において同一の参照符号、特に十の桁及び一の桁、又は十の桁、一の桁及びアルファベットが同じ参照符号は同一又は類似の機能を有する部材を示し、特に言及がない場合、図面の各参照符号が指称する部材はこのような基準に準ずる部材として把握すれば良い。
また、各図において、構成要素は理解の便宜上サイズや厚さを誇張して大きく（又は厚く）あるいは小さく（又は薄く）表現するとか単純化して表現することもあるが、これにより本発明の保護範囲が制限されて解釈されない。
【００２３】
本明細書で使用した用語は、ただ特定の具現例（態様、ａｓｐｅｃｔ、又は実施例）を説明するために使用されたもので、本発明を限定しようとする意図で使用されたものではない。単数の表現は文脈上特に明記しない限り、複数の表現を含む。
本出願において、「含む」又は「なる」などの用語は明細書上に記載された特徴、数字、段階、動作、構成要素、部品又はこれらの組合せが存在することを指定しようとするものであり、一つ又はそれ以上の他の特徴、数字、段階、動作、構成要素、部品又はこれらの組合せの存在又は付加の可能性を予め排除しないものに理解されなければならない。
【００２４】
特に定義がない限り、技術的ないし科学的な用語を含み、ここで使われる全ての用語は本発明が属する技術分野で通常の知識を有する者によって一般的に理解されるものと同一の意味を持っている。一般的に使われる辞書に定義されているような用語は、関連技術が文脈上有する意味と一致する意味を有するものに解釈されなければならなく、本出願において明らかに定義しない限り、理想的なあるいは過度に形式的な意味に解釈されない。
本明細書で記述する〜第１〜、〜第２〜などは互いに異なる構成要素を区分するためのものであるだけ、製造手順を限定するものではなく、発明の詳細な説明及び請求範囲でその名称が一致しないこともあり得る。
【００２５】
本発明による下向き回転ロック式サイドカバーを備えた釣りリールの説明において、便宜のために厳密ではない大略の方向基準を図１及び図２を参照して特定すると、フレーム１０のフロント部１０Ａを見る方向を基準として重力が作用する方向を下側とし、見える方向を基準として上下左右を決定し、他の図に基づく発明の詳細な説明及び請求範囲でも特に他の言及がない限り、この基準によって方向を特定して記述する。
【００２６】
以下では、本発明による下向き回転ロック式サイドカバーを備えた釣りリールを添付図面に基づいて説明する。
【００２７】
本発明は下向き回転ロック式サイドカバーを備えた釣りリールに関するもので、図１〜図７に示したように、大きくはスプール（図示せず）が装着されるフレーム１０、フレーム１０の両側面にそれぞれ結合されるパーム（ｐａｌｍ）側第１サイドカバー２０とギア（ｇｅａｒ）側第２サイドカバー３０を含んでなる。
本明細書の図面では理解の便宜のために、本発明の核心的な部品以外の、スプール、シャフト、ハンドル、スプールカバー、各種のブレーキング手段などを省略しているが、後述する本発明の機構設計的な核心構成を阻害しない限度内で、本発明の釣りリールは、公知の釣りリール、特にベイトキャスティングリールに適用可能な全ての部品を含むことができる。
【００２８】
まず、前記フレーム１０は、両側面にそれぞれ開口が形成された第１装着部１１及び第２装着部１２を備え、第１及び第２装着部１１、１２の間にスプールが結合される第３装着部１３を備える。
そして、フレーム１０の一側の第１装着部１１に前記第１サイドカバー２０が結合されることで、第１装着部１１に内蔵されるスプールカバー、ブレーキシュー又はマグネットブレーキなどのブレーキング手段などの部品が保護される。
また、フレーム１０の他の側にある第２装着部１２に前記第２サイドカバー３０が結合されることで、第２装着部１２に内蔵されるギア組立体、テンションナットによって作動するテンション力調節部材などの部品が保護される。
【００２９】
そして、前記第１サイドカバー２０には、スプールシャフトと同一線上に配列されてブレーキング手段の制動力を調節するブレーキダイヤルが結合されるダイヤル結合部２１が備えられ、前記第２サイドカバー３０には、ハンドルの回転軸が貫通して結合される軸連結部３１が備えられることにより、ハンドルがスプールと連結されたギア組立体と連動することになり、また、魚が釣り針を噛んで逃げる場合、釣り糸がスプールから解かれる速度を抑制して釣り糸を保護するようにドラグパワーを調節するスタードラグナットと、スプールの回転速度を調節してキャスティング距離を調節するテンションナットが備えられている。
【００３０】
ここで、前記第１サイドカバー２０は第２サイドカバー３０に比べて相対的に開閉頻度が高いので、第１サイドカバー２０を前後に回転させることによってフレーム１０と第１サイドカバー２０が係止め構造によって開閉されるように、第１装着部１１及び第１サイドカバー２０の内側面にスプールシャフトが結合される軸設部を中心に複数の係止突起及び係止凹部（図示せず）が放射状に円形に配列される。このような係止突起及び係止凹部の構造は公知となったものであるので、それについての詳細な説明を省略する。
【００３１】
そして、第１サイドカバー２０に比べて相対的に開閉頻度の低い第２サイドカバー３０は、フレーム１０の第２装着部１２にボルティング結合され、必要な場合にだけ第２サイドカバー３０がフレーム１０から分離できるようにされている。
また、前記フレーム１０の各装着部は、各縁部の前端部の上側一部区間が、各縁部の残りの平坦区間より左右の外側に突出するように流線形に連結された突出部を含む。
【００３２】
すなわち、フレーム１０の両側装着部をなす縁部は、前後に直線形に連結された平面部を基本として、平面部の前端部の上側一部が各装着部の外側方向に流線形（曲線又は曲面）に突出して連結された突出部を含んでなり、フレーム１０とサイドカバーの結合部位は、平面図上で両側が前後に直線形に連結された図１０の（ｂ）で示すような形状ではなく、前端部の両側が曲線デザインを有するように突出した図１０の（ａ）で示すような形状を有する。
この場合、前述したように、第１サイドカバー２０が前後回転によって開閉される構造である反面、第２サイドカバー３０はボルティング結合される構造であるから、第２サイドカバー３０は開閉時に突出部による干渉が発生しないので、以下ではフレーム１０の第１装着部１１をなす第１縁部１６の突出部１６Ｐと第１平面部１６Ｆを基準に本発明の核心を説明する。
【００３３】
前述したように、フレーム１０と第１サイドカバー２０の結合部位が曲線デザインを有するように突出した平面図が図１０の（ａ）で示すような形状を有する場合、従来の第１サイドカバーは、前後回転開閉時に前記突出部の干渉を避けるために、第１サイドカバーを第１装着部１１に１次結合した後、第１サイドカバーの前端部を上向きに回転させることによってロックをなしたが、本発明の第１サイドカバー２０は第１サイドカバー２０の前端部を下向きに回転させることによってロックをなすことを特徴とする。
【００３４】
より具体的に、前記第１装着部１１をなす第１縁部１６は、その上側前端部の一部が残りの部分である第１平面部１６Ｆより外側に突出するように流線形に連結された突出部１６Ｐ（理解の便宜のために、図４及び図５に斜線で断面を表示した）を含み、前記第１サイドカバー２０の第２縁部２６は、上側前端部の一部が残りの部分である第２平面部２６Ｆより外側に凹んでいるように流線形に連結されて前記突出部１６Ｐと接する凹部２６Ｃ（理解の便宜のために、図６及び図７に斜線で断面を表示した）を含み、前記突出部１６Ｐは上側傾斜面１６ａと外側端面１６ｂを連結する第１角部１６ａ’の内角Ａ１が鈍角（９０°以上）に形成され、前記突出部１６Ｐが前記凹部２６Ｃの下部に配列されるように前記第１サイドカバー２０を第１装着部１１に１次結合した後、第１サイドカバー２０の前端部を下向きに回転させることによって第１サイドカバー２０のロックが可能となる。
【００３５】
ここで、突出部１６Ｐの上側傾斜面１６ａは、第１角部１６ａ’を外側端面１６ｂと挟んでいる部位であり、本明細書の図面のようにフレーム１０の上側面が相異なる傾斜度を有するように形成された多段傾斜構造の場合は最外側傾斜面を意味する。ここで、図面とは異なる、傾斜度が一定に形成された単一傾斜構造の上側傾斜面も本発明の上側傾斜面１６ａに含まれるものと解釈されなければならない。
【００３６】
したがって、平面図が図１０の（ａ）で示すような形状の曲線デザインを有する従来の釣りリールとは違い 、本発明は下向き回転ロック式第１サイドカバー２０を採用しても突出部１６Ｐとの干渉又は接触が発生しないだけでなく、フレーム１０の端部が鋭く形成されないとともに、第１サイドカバー２０を把持した指が第１サイドカバー２０の開閉方向の反対側の上側面に位置するので、使用中に手が切られたり指が挟まったりするなどの傷害の発生を防止することができる。
【００３７】
一方、前記第１サイドカバー２０は、内側面２０ａの端部から伸び、前記第１縁部１６の上側傾斜面１６ａの傾斜度と対応する角度で連結された内側接面２６ａを備え、第１サイドカバー２０のロック状態で前記内側接面２６ａが前記上側傾斜面１６ａに密着する。
すなわち、左右縦断面が略「Ｄ」字形になった第１サイドカバー２０において、第１サイドカバー２０の内側面２０ａの端部に、内側面２０ａとは異なる角度で連結された内側接面２６ａが形成される。ここで、第１サイドカバー２０の内側面２０ａと内側接面２６ａを連結する第２角部２６ａ’の内角ａ１、ａ２、ａ３が第１角部１６ａ’の内角Ａ１に相応する鈍角で形成されることで、第１サイドカバー２０のロック時、凹部２６Ｃが突出部１６Ｐを覆う形態に結合される。
これにより、曲線デザインの採用により低下することがある第１サイドカバー２０の結合力及び水分浸湿防止の機能を補って向上させることができる。
【００３８】
また、前記第１サイドカバー２０は、第１サイドカバー２０の前後回転時に第１サイドカバー２０の内側に配列される突出部１６Ｐの干渉が発生しないように、前記凹部２６Ｃの内側に空間形態の収容部２３を含む。
【００３９】
本発明は、前記内側接面２６ａによって、突出部１６Ｐが第１サイドカバー２０内側に収容されても、前記収容部２３によって、突出部１６Ｐが第１サイドカバー２０の内側面２０ａ又は他の部品と接触することを防止することができる。
また、前記凹部２６Ｃの内側接面２６ａは、前方側２６Ｃａ、後方側２６Ｃｂの各端部が前記第２縁部２６の第２平面部２６Ｆの内側端部に連結される。そして、内側接面２６ａは、中央に行くほど内側接面２６ａの幅が広くなるとともに垂直方向に対して内側接面２６ａの傾斜度が大きくなる円弧形の曲面である。
すなわち、凹部２６Ｃの内側接面２６ａは、前後方側２６Ｃａ、２６Ｃｂの各端部から中央に行くほどその幅が段々増加する。そして、垂直線に対する内側接面２６ａの傾斜度は前後方側２６Ｃａ、２６Ｃｂの各端部から中央に行くほど大きくなる。
【００４０】
したがって、フレーム１０の第１縁部１６は、垂直に平らな第１平面部１６Ｆから、水平斜線方向に傾いた突出部１６Ｐの上側傾斜面１６ａに、螺旋状に連結されて（すなわち、第１平面部１６Ｆと上側傾斜面１６ａがねじれる形態に連結される）上側傾斜面１６ａの傾斜度が変わるので、本発明は前述した構成の内側接面２６ａによって、突出部１６Ｐの上側傾斜面１６ａの全領域をカバーして密着可能であり、このような機構工学的設計は、第１サイドカバー２０の前後回転開閉時に上側傾斜面１６ａと内側接面２６ａの摩擦を最小化することができる。
【００４１】
また、前記第１装着部１１又は前記第１サイドカバー２０の内側又はこれらの両方には、前記第１サイドカバー２０の前後回転開閉時に第１サイドカバー２０をフレーム１０の左右水平方向に移動させる開閉案内手段が備えられる。
すなわち、前記開閉案内手段は、第１サイドカバー２０の前後回転時、シャフトの軸方向に第１サイドカバー２０を左右に水平移動させる。
【００４２】
この場合、本発明の釣りリールでは、前記第１サイドカバー２０の１次結合時に第１縁部１６及び第２縁部２６が所定間隔で離隔した状態で第１サイドカバー２０を下向きに回転させるときに、第１サイドカバー２０が第１装着部１１に向かって水平に移動して結合される。
反対に、第１サイドカバー２０のロック状態で第１サイドカバー２０を上向きに回転させるとき、第１サイドカバー２０が第１装着部１１の反対方向に水平に移動するにつれて第１及び第２縁部１６、２６が遠くなることによって第１サイドカバー２０の着脱を容易にする。
【００４３】
このような開閉案内手段は、第１サイドカバー２０の前後回転領域内で多様な構造として備えられ、第１サイドカバー２０との物理的接触によって加圧されることにより、第１サイドカバー２０が回転するとともに左右に水平移動するようにすることができる。代表的に、前記内側接面２６ａが開閉案内手段として機能することができる。
【００４４】
前述したように、前記内側接面２６ａは、前後方側２６Ｃａ、２６Ｃｂの部位から中央部位に行くほど垂直線に対する内側接面２６ａの傾斜度が大きくなる構造であるので、第１サイドカバー２０を後方側に斜めに傾けて第１装着部１１に１次結合したとき、相対的に傾斜度が大きな（すなわち、垂直線から遠い）内側接面２６ａの中央が上側傾斜面１６ａの端部に先に接触し、接触した部位を除いた残りの第２縁部２６は第１縁部１６から所定間隔で離隔した状態となり、第１サイドカバー２０を前方側に下向きに回転させてロックさせると、上側傾斜面１６ａに接触した部位が、上側傾斜面１６ａに沿って相対的に傾斜度の小さい（すなわち、垂直線に近い）前方側２６Ｃａの内側接面２６ａに移動し、結局第１サイドカバー２０は下向きに回転するとともに第１装着部１１の方向に水平移動して結合される。
【００４５】
反対に、第１サイドカバー２０を後方側に上向きに回転させて開放させるときは、第１縁部１６及び第２縁部２６が共に接触した状態で、上側傾斜面１６ａに接触する部位が内側接面２６ａに沿って傾斜度の大きな中央側に移動するにつれて第１サイドカバー２０が外側に押されるので、第１サイドカバー２０は上向きに回転するとともに第１装着部１１の反対側（外側）方向に水平に移動して分離される。
このように相異なる傾斜度を有するように形成された内側接面２６ａによって開閉案内手段の機能を具現することができる。
【００４６】
もしくは、図面には示されていないが、開閉案内手段として、第１サイドカバー２０の内側面２０ａに突起を形成し、第１装着部１１に第１サイドカバー２０の回転経路に沿って前端部から後端部に行くほど外側に上向きに傾くように形成された案内部を形成することにより（あるいは突起と案内部を反対に構成することにより）、案内部の傾斜度変化によって第１サイドカバー２０が回転するとともに左右に水平移動することができる。
【００４７】
このように、本発明の開閉案内手段は多様な方式でなることができる。このように、フレーム１０と第１サイドカバー２０が物理的に接触する部位に傾斜度の変化を与えることによって第１サイドカバー２０が水平に移動することになる構造は、本明細書で特定の方式に限定しなくても当業者であれば充分に予測して再現することができるので、本発明の権利解釈に制限があってはならない。
【００４８】
以上の本発明の説明において添付図面に基づいて特定の形状及び構造を下向き回転ロック式サイドカバーを備えた釣りリールを主として説明したが、本発明は当業者によって多様な修正、変更及び置換が可能であり、このような修正、変更及び置換は本発明の保護範囲に属するものに解釈されなければならない。
【符号の説明】
【００４９】
１、１０            フレーム
１１、１２、１３    装着部
２、２０            第１サイドカバー
１６、２６          縁部
１６Ｆ、２６Ｆ      平面部
１６Ｐ              突出部
２６Ｃ              凹部
１６ａ’、２６ａ’  角部
１６ｂ              外側端面
２０ａ              内側面
３０                第２サイドカバー
【図１】
2019017386.tif 000003
【図２】
2019017386.tif 000004
【図３】
2019017386.tif 000005
【図４】
2019017386.tif 000006
【図５】
2019017386.tif 000007
【図６】
2019017386.tif 000008
【図７】
2019017386.tif 000009
【図８】
2019017386.tif 000010
【図９】
2019017386.tif 000011
【図１０】
2019017386.tif 000012